(57)【要約】【課題】複数のファイルを順次再生するスライドショー再生時に、画像とともに再生される音声とＢＧＭとを適切に調停し、ＢＧＭをより有効に活用する。【解決手段】スライドショー再生時に音声付き静止画ファイル（静止画ファイルに関連付けて音声ファイルが記録されているもの）を再生する場合に、音声ファイルのヘッダー情報を読み込み（ステップＳ３０）、その音声ファイルがデジタルカメラで記録されたものかどうかを識別する（ステップＳ３２）。音声ファイルがデジタルカメラで記録されたものでない場合には、ＢＧＭのボリュームをゼロにし、静止画ファイル及び音声ファイルを再生する（ステップＳ３４、Ｓ３６、Ｓ３８）。一方、音声ファイルがデジタルカメラ以外で記録されている場合には、ＢＧＭは消音させずに、静止画ファイル及び音声ファイルを再生する（ステップＳ４２、Ｓ４４）。【選択図】      図６
2005051706.tif 000002
【特許請求の範囲】
【請求項１】
音声付き静止画ファイルを含む複数のファイルを順番に再生するスライドショー再生を行うスライドショー再生機能を有し、再生するファイルが音声付き静止画ファイルの場合には、音声とともに画像を再生する画像再生装置において、
前記スライドショー再生時にバックグランド・ミュージック（ＢＧＭ）を再生するＢＧＭ再生手段と、
前記スライドショー再生機能に基づいて再生される音声と、前記ＢＧＭ再生手段によって再生されるＢＧＭとをミキシングして出力するミキシング手段と、
前記スライドショー再生機能に基づいて再生される音声ファイルがデジタルカメラによって生成されたものか否かを識別する識別手段と、
前記識別手段によって前記スライドショー再生機能に基づいて再生される音声ファイルがデジタルカメラによって生成されたものでないと判別されると、該音声ファイルの再生期間中、前記ミキシング手段によってミキシングされる前記ＢＧＭのボリュームをゼロにする音声制御手段と、
を備えたことを特徴とする画像再生装置。
【請求項２】
前記識別手段は、前記スライドショー再生機能に基づいて再生される音声付き動画ファイルがデジタルカメラによって生成されたものか否かを識別し、前記音声制御手段は、前記識別手段によって前記スライドショー再生機能に基づいて再生される音声付き動画ファイルがデジタルカメラによって生成されたものでないと判別されると、該音声付き動画ファイルの再生期間中、前記ミキシング手段によってミキシングされる前記ＢＧＭのボリュームをゼロにすることを特徴とする請求項１に記載の画像再生装置。
【請求項３】
前記識別手段は、前記音声ファイル又は音声付き動画ファイルがデジタルカメラによって生成されたものか否かを該ファイルのヘッダー情報にデジタルカメラでの記録を示す情報が含まれているか否かに基づいて識別することを特徴とする請求項１又は２に記載の画像再生装置。
【請求項４】
音声付き静止画ファイルを含む複数のファイルを順番に再生するスライドショー再生を行うスライドショー再生機能であって、再生するファイルが音声付き静止画ファイルの場合には、音声とともに画像を再生させるスライドショー再生機能と、
前記スライドショー再生時にバックグランド・ミュージック（ＢＧＭ）を再生させるＢＧＭ再生機能と、
前記スライドショー再生機能に基づいて再生される音声と、前記ＢＧＭ再生機能によって再生されるＢＧＭとをミキシングして出力させるミキシング機能と、
前記スライドショー再生機能に基づいて再生される音声ファイルがデジタルカメラによって生成されたものか否かを識別する識別機能と、
前記識別機能によって前記スライドショー再生機能に基づいて再生される音声ファイルがデジタルカメラによって生成されたものでないと判別されると、該音声ファイルの再生期間中、前記ミキシング機能によってミキシングされる前記ＢＧＭのボリュームをゼロにさせる音声制御機能と、
をコンピュータに実現させることを特徴とする画像再生プログラム。
【発明の詳細な説明】
【技術分野】
【０００１】
本発明は画像再生装置及び画像再生プログラムに係り、特に音声付き静止画ファイルを含む複数のファイルを順番に再生するスライドショー再生を行う画像再生装置及び画像再生プログラムに関する。
【背景技術】
【０００２】
現在のデジタルカメラは静止画のみならず動画記録、音声記録、音声付き静止画記録などの複数の形態の情報をファイル形式で記録できるようになっている。これらの複数のファイルは、パーソナルコンピュータ（以下、「パソコン」という）のフォルダに保存され、パソコンのビューアソフトなどに組み込まれているスライドショー再生機能により、スライドショー再生で順次再生できるようになっている。
【０００３】
スライドショー再生の典型は、例えば数十枚の静止画を撮影順に５秒ずつ順次画面表示するものである。このとき、映像表現を豊かにするために、バックグランド・ミュージック（ＢＧＭ）を指定できるスライドショー再生装置がある。
【０００４】
５秒ずつ６０枚の静止画を再生するには５分間を要するため、演奏時間が５分程度の楽曲を割り当てることで、６０枚の静止画の順次再生中にはその楽曲がＢＧＭとして再生される。
【０００５】
ところで、スライドショー再生の対象が静止画ファイルだけでなく、音声付き静止画ファイル、動画ファイル、又は音声ファイルを含むとき、それらのファイルのもつ音声情報の再生と、ＢＧＭのサウンド再生の調停が問題となる。
【０００６】
特許文献１には、音声データを付帯する静止画データの再生時には、音声データが聞き取りやすいようにＢＧＭの出力レベルを下げてＢＧＭと音声データを合成再生する技術が開示されている。
【０００７】
また、特許文献２、３には、静止画の再生時間と音声の再生時間の長さを調停する技術が開示されているが、複数の音声情報が同時に再生される状況における優先度の調整は考慮されていない。
【特許文献１】特開平１１−１６８６９２号公報
【特許文献２】特開２００１−３３９６８２号公報
【特許文献３】特開平１０−１４５７３０号公報
【発明の開示】
【発明が解決しようとする課題】
【０００８】
ところで、音声データには、デジタルカメラで撮影した画像に対し、同時もしくは後から録音機能によって解説などを付加記録したものや、単にボイスレコーダとして音声のみを記録したものなどがあるが、ＢＧＭを合成しても特に破綻しない類のものと、それ自体楽曲として記録され、ＢＧＭを合成すると２つの楽曲が重なって破綻する類のものとがある。
【０００９】
特許文献１に記載の発明は、この２つの音声データの識別の必要性に着目しておらず、音声データを付帯する画像データの再生時には、必ずＢＧＭの出力レベルを下げるようにしているため、ＢＧＭを必要とするケースにＢＧＭを利用することができないという問題がある。
【００１０】
本発明はこのような事情に鑑みてなされたもので、音声付き静止画ファイルを含む複数のファイルを順次再生するスライドショー再生時にＢＧＭを流す際に、ファイルの再生時に再生される音声とＢＧＭとを適切に調停し、ＢＧＭをより有効に活用することができる画像再生装置及び画像再生プログラムを提供することを目的とする。
【課題を解決するための手段】
【００１１】
前記目的を達成するために請求項１に係る発明は、音声付き静止画ファイルを含む複数のファイルを順番に再生するスライドショー再生を行うスライドショー再生機能を有し、再生するファイルが音声付き静止画ファイルの場合には、音声とともに画像を再生する画像再生装置において、前記スライドショー再生時にバックグランド・ミュージック（ＢＧＭ）を再生するＢＧＭ再生手段と、前記スライドショー再生機能に基づいて再生される音声と、前記ＢＧＭ再生手段によって再生されるＢＧＭとをミキシングして出力するミキシング手段と、前記スライドショー再生機能に基づいて再生される音声ファイルがデジタルカメラによって生成されたものか否かを識別する識別手段と、前記識別手段によって前記スライドショー再生機能に基づいて再生される音声ファイルがデジタルカメラによって生成されたものでないと判別されると、該音声ファイルの再生期間中、前記ミキシング手段によってミキシングされる前記ＢＧＭのボリュームをゼロにする音声制御手段と、を備えたことを特徴としている。
【００１２】
即ち、スライドショー再生機能に基づいて再生される音声と、ＢＧＭ再生手段によって再生されるＢＧＭとがミキシングされる場合に、これらの２つの音声のミキシング音が破綻するか否かを識別し、ミキシング音が破綻する場合には、その期間だけＢＧＭのボリュームをゼロにし、一方、破綻しない場合には、２つの音声のミキシングを可能にする。前記２つの音声のミキシング音が破綻するか否かの識別は、スライドショー再生時に再生される音声ファイルがデジタルカメラ以外によって生成されたものか否かによって行う。即ち、デジタルカメラによって生成される音声ファイル（例えば、ボイスメモとして静止画ファイルに付属する音声ファイルや、デジタルカメラのボイスレコーダ機能によって音声のみが記録された音声ファイル）の再生音は楽曲ではないため、ＢＧＭ（楽曲）と重なっても破綻を来さないが、デジタルカメラ以外の機器で作成された音声ファイルの再生音は、楽曲である可能性が高く、ＢＧＭがミキシングされると破綻を来す。
【００１３】
請求項２に示すように、請求項１に記載の画像再生装置において、前記識別手段は、前記スライドショー再生機能に基づいて再生される音声付き動画ファイルがデジタルカメラによって生成されたものか否かを識別し、前記音声制御手段は、前記識別手段によって前記スライドショー再生機能に基づいて再生される音声付き動画ファイルがデジタルカメラによって生成されたものでないと判別されると、該音声付き動画ファイルの再生期間中、前記ミキシング手段によってミキシングされる前記ＢＧＭのボリュームをゼロにすることを特徴としている。
【００１４】
音声付き動画ファイルを再生する場合も、音声付き静止画ファイルと同様に、その音声付き動画ファイルがデジタルカメラで作成されている場合には、再生される音声にＢＧＭをミキシングして動画再生の表現を豊かにし、一方、例えばパソコン上で動画ファイルと楽曲等の音声ファイルとを一体化させた音声付き動画ファイルの場合には、再生される音声にＢＧＭをミキシングしないようにしている。
【００１５】
請求項３に示すように、請求項１又は２に記載の画像再生装置において、前記識別手段は、前記音声ファイル又は音声付き動画ファイルがデジタルカメラによって生成されたものか否かを該ファイルのヘッダー情報にデジタルカメラでの記録を示す情報が含まれているか否かに基づいて識別することを特徴としている。
【００１６】
デジタルカメラで作成されるファイルのヘッダー情報には、カメラ機種名などの情報が含まれており、この種の情報の有無によって音声ファイル又は音声付き動画ファイルがデジタルカメラによって生成されたものか否かを識別するようにしている。
【００１７】
請求項４に係る画像再生プログラムは、音声付き静止画ファイルを含む複数のファイルを順番に再生するスライドショー再生を行うスライドショー再生機能であって、再生するファイルが音声付き静止画ファイルの場合には、音声とともに画像を再生させるスライドショー再生機能と、前記スライドショー再生時にバックグランド・ミュージック（ＢＧＭ）を再生させるＢＧＭ再生機能と、前記スライドショー再生機能に基づいて再生される音声と、前記ＢＧＭ再生機能によって再生されるＢＧＭとをミキシングして出力させるミキシング機能と、前記スライドショー再生機能に基づいて再生される音声ファイルがデジタルカメラによって生成されたものか否かを識別する識別機能と、前記識別機能によって前記スライドショー再生機能に基づいて再生される音声ファイルがデジタルカメラによって生成されたものでないと判別されると、該音声ファイルの再生期間中、前記ミキシング機能によってミキシングされる前記ＢＧＭのボリュームをゼロにさせる音声制御機能と、をコンピュータに実現させることを特徴としている。
【発明の効果】
【００１８】
以上説明したように本発明によれば、スライドショー再生機能に基づいて複数のファイルを順次再生する際に再生される音声とＢＧＭとが重なる場合に、前記音声とＢＧＭとをミキシングした音声が破綻するか否かを考慮してＢＧＭをミキシングするか否かを識別し、破綻を来す場合のみミキシングするＢＧＭのボリュームをゼロにするようにしたため、破綻を来さない場合にはＢＧＭをミキシングすることができ、ＢＧＭをより有効に活用することができる。
【発明を実施するための最良の形態】
【００１９】
以下添付図面に従って本発明に係る画像再生装置及び画像再生プログラムの好ましい実施の形態について説明する。
【００２０】
図１は本発明に係る画像再生装置としての機能を備えたパソコンのハードウェア構成例を示すブロック図である。
【００２１】
図１に示すようにパソコン１は、主として各構成要素の動作を制御する中央処理装置（ＣＰＵ）１０と、装置の制御プログラムが格納されたり、プログラム実行時の作業領域となる主メモリ１２と、パソコン１のオペレーティングシステム（ＯＳ）、パソコン１に接続された周辺機器のデバイスドライバ、本発明に係る画像再生処理のプログラムを含む各種のアプリケーションソフト、ユーザの画像等が格納されるハードディスク装置１４と、ＤＶＤ−Ｒ／ＲＷ装置１６と、表示用データを一時記憶する表示メモリ１８と、この表示メモリ１８からの画像データ、文字データ等により画像や文字等を表示するＣＲＴモニタや液晶モニタ等のモニタ装置２０と、サウンド・カード２２と、スピーカ２４と、キーボード２６と、位置入力装置としてのマウス２８、マウス２８の状態を検出してモニタ装置２０上のマウスポインタの位置やマウス２８の状態等の信号をＣＰＵ１０に出力するマウスコントローラ３０と、デジタルカメラ２と接続して画像データ等の入力が可能なＵＳＢ（Universal Serial Bus）などのインターフェース３２と、上記各構成要素を接続するバス３４とから構成されている。
【００２２】
尚、上記構成のパソコン１は、ハードディスク装置１４に格納されている、本発明に係る画像再生処理のアプリケーションソフト、サウンド・カード２２を除いて周知のものであるため、各構成要素の詳細な説明については省略する。この画像再生処理のアプリケーションソフトは、該アプリケーションソフトが記録されたＣＤ−ＲＯＭをパソコン１のＤＶＤ−Ｒ／ＲＷ装置１６にセットすることにより、パソコン１にインストールすることができる。このＤＶＤ−Ｒ／ＲＷ装置１６は、ＣＤ−Ｒ／ＲＷの機能も有している。
【００２３】
次に、インターフェース３２を介して接続されているデジタルカメラ２内のメモリカード、又はパソコン１のハードディスク装置１４に格納されている静止画ファイル、音声付き静止画ファイル、音声ファイル、音声付き動画ファイル等の複数のファイルを、所定のインターバルで順次再生するスライドショー再生について説明する。
＜前提＞
デジタルカメラ２は、静止画を撮影する撮影モード、音声付き動画を撮影する動画モード、音声を録音するボイスレコーダ・モード、静止画の撮影後に録音メモ（コメント）を付けることができるボイスメモ・モード等を有しており、ボイスメモ・モードが選択された状態で静止画の撮影モードで撮影が行われると、その撮影後、最大３０秒のコメントを録音することができ、静止画ファイルと音声ファイルとが関連付けられた音声付き静止画ファイルを作成し、動画モードで撮影が行われると、音声付き動画ファイルを作成する。
【００２４】
上記デジタルカメラ２で作成された各種のファイルは、インターフェース３２を介してパソコン１のハードディスク装置１４の所定のフォルダに格納される。
【００２５】
また、ハードディスク装置１４内には、デジタルカメラ２以外の手段で取得した静止画ファイル、動画ファイル、音声ファイル等を格納することもできる。
【００２６】
図２はスライドショー再生される再生対象ファイルとそのファイル名の一例を示す図表である。
【００２７】
図２に示すようにデジタルカメラで作成される静止画ファイル等には、ＤＣＦ（Design rule for Camera File system: デジタルカメラの統一記録フォーマット) などによる命名規則によりファイル名が自動生成されて付けられている。また、デジタルカメラにおいて、ボイスメモ・モードが選択された状態で撮影された静止画が記録された静止画ファイルと、その撮影後に録音された音声が記録された音声ファイルとは、同じファイル名で拡張子のみが異なるように命名されている（前者の拡張子は「JPG 」、後者の拡張子は「WAV 」) 。
【００２８】
図３は図２に示した音声ファイルＣ’と音声ファイルＤ’のファイル構造の一例を示している。
【００２９】
音声ファイルＣ’、Ｄ’はそれぞれWindows(商標) において標準となっているWAV フォーマット(Waveform Format) の音声ファイルであるが、音声ファイルＣ’( ファイル名:DSCF0003.WAV)は、デジタルカメラ以外のものによって作成されたものであり、音声ファイルＤ’( ファイル名:DSCF0004.WAV)は、デジタルカメラによって作成されたものである。
【００３０】
尚、音声ファイルがデジタルカメラによって作成されたものか否かは、図３（Ｂ）に示すように音声ファイルのヘッダー情報にカメラ機種名４０が付帯しているか否かによって識別することができる。
【００３１】
図４は図１に示したサウンド・カード２２の要部ブロック図であり、このサウンド・カード２２は、ミキシング回路２２Ａ、スイッチ２２Ｂ等を含んでいる。
【００３２】
ミキシング回路２２Ａの一方の入力には、音声付き静止画ファイル等の再生時に再生される音声データが加えられ、他方の入力には、予め指定した楽曲のＢＧＭの再生によって出力されるＢＧＭデータが、スイッチ２２Ｂを介して加えられるようになっており、ミキシング回路２２Ａは前記音声データとＢＧＭデータとを同時に入力する場合には、これらの音声データとＢＧＭデータとをミキシングしてスピーカ２４に出力する。
【００３３】
尚、スイッチ２２Ｂは、ＣＰＵ１０からのＯＮ／ＯＦＦ制御信号によってＯＮ／ＯＦＦが制御され、後述するように音声データとＢＧＭデータとをミキシングすると、音声データが破綻する場合にＯＦＦになるように制御される。
【００３４】
次に、図２に示した再生対象ファイルに基づいてスライドショー再生を行う場合の本発明の画像再生処理について、図５乃至図７に示すフローチャートを参照しながら説明する。
【００３５】
図５において、まず本発明に係る画像再生用のアプリケーションソフトを起動し、音声付き画像ファイル等が格納されているフォルダとＢＧＭとを選択してスライドショー再生を開始させると、指定されたフォルダからスライドショー再生する対象のファイルリストを作成し（ステップＳ１０）、選択したＢＧＭの再生を開始する（ステップＳ１２）。
【００３６】
次に、ファイルリスト（例えば、図２に示すようにファイル名の末尾が４桁の連番になっている場合には、番号の小さい方）から１つのファイルを取り出し（ステップＳ１４）、続いて取り出したファイルのタイプを識別する（ステップＳ１６）。この実施の形態では、取り出した１つのファイルが、音声付き静止画ファイル、音声ファイル、静止画ファイル、及び動画ファイルのうちの何れのタイプかを識別するようにしている。この識別は、ファイル名に付されている拡張子（JPG,WAV,AVI)によって、静止画ファイル、音声ファイル、動画ファイルを識別し、更に、静止画ファイルのファイル名と同じファイル名で、「WAV 」の拡張子を有する音声ファイルがある場合には、その静止画ファイルは、音声付き静止画ファイルとして識別する。
【００３７】
いま、図２に示した静止画ファイルＡがファイルリストから取り出されると、その静止画ファイルＡを再生し、図８（Ａ）に示すように静止画ａを、予め設定したインターバル（５秒間）だけ表示させる（ステップＳ１８）。この静止画ファイルＡには、音声ファイルが付属していないため、ＢＧＭのみが出力される（図８（Ｃ）、（Ｄ））。
【００３８】
静止画ａの表示が終了すると、ファイルリスト上の全てのファイルの再生が終了したか否かが判別され（ステップＳ２６）、終了していない場合にはステップＳ１４に戻り、ファイルリストから次のファイルを取り出す。
【００３９】
ファイルリストから図２に示した静止画ファイルＢが取り出されると、その静止画ファイルＢを再生し、図８に示すように静止画ｂを５秒間表示させる（ステップＳ１８）。
【００４０】
ファイルリストから図２に示した音声付き静止画ファイル（静止画ファイルＣ、音声ファイルＣ’）が取り出されると、音声付き静止画の再生を開始する（ステップＳ２０）。
【００４１】
即ち、図６に示すように静止画ファイルＣに関連付けられた音声ファイルＣ’のヘッダー情報を読み込む（ステップＳ３０）。続いて、読み込んだヘッダー情報に基づいてデジタルカメラによって記録された音声ファイルかどうかを識別する（ステップＳ３２）。図３で説明したように、音声ファイルがデジタルカメラによって記録されたものかどうかは、ヘッダー情報中にカメラ機種名４０が記録されているかどうかによって識別しており、この実施の形態では、音声ファイルＣ’はデジタルカメラによって記録されたものではないため、ＢＧＭのボリュームをゼロにし（ステップＳ３４）、静止画ファイルＣを再生して静止画ｃを表示するとともに、音声ファイルＣ’を再生する（ステップＳ３６、Ｓ３８）。尚、音声付き静止画ファイルの再生時間は、スライドショー再生のインターバル、及び音声ファイルの再生時間のうちの長い時間に合わせて静止画も再生される。
【００４２】
図８に示す実施の形態では、８秒間の音声ｃ’の再生が終了すると、ＢＧＭのボリュームを元に戻す（ステップＳ４０）。従って、音声付き静止画ファイル（静止画ファイルＣ、音声ファイルＣ’）の再生時には、ＢＧＭが消音され、音声ｃ’のみが出力される。即ち、音声付き静止画ファイル（静止画ファイルＣ、音声ファイルＣ’）の再生時には、ＣＰＵ１０からサウンド・カード２２のスイッチ２２ＢをＯＦＦにする制御信号が出力され、ミキシング回路２２ＡにＢＧＭデータが入力されないようにしている。
【００４３】
一方、ファイルリストから図２に示した音声付き静止画ファイル（静止画ファイルＤ、音声ファイルＤ’）が取り出され、この音声付き静止画ファイルの再生時には、図６の（ステップＳ３２において、音声ファイルＤ’のヘッダー情報中に含まれるカメラ機種名４０によりデジタルカメラによって記録された音声ファイルとして識別されるため、静止画ファイルＤを再生して静止画ｄを表示するとともに、音声ファイルｃ’を再生し（ステップＳ４２、Ｓ４４）、ＢＧＭの消音は行わない。これにより、ミキシング回路２２Ａは、音声データとＢＧＭデータとを所定の割合でミキシングしてスピーカ２４に出力する。
【００４４】
また、ファイルリストから音声付き動画ファイルが取り出されると、音声付き静止画ファイルと同様にして、その音声付き動画ファイルがデジタルカメラによって記録されたものか否かを識別し、デジタルカメラによって記録されたものである場合には、動画ファイルの動画ｅとともに再生される音声ｅ’にＢＧＭをミキシングし、一方、デジタルカメラ以外によって記録されたものである場合には、ＢＧＭを消音し、動画ファイルの動画とともに再生される音声のみを出力させる。
【００４５】
更に、ファイルリストから音声ファイル（静止画ファイルに付属しない音声ファイル）が取り出されると、音声ファイル単独の再生を開始する（ステップＳ２４）。即ち、図７に示すように音声ファイルのヘッダー情報を読み込む（ステップＳ５０）。続いて、読み込んだヘッダー情報に基づいてデジタルカメラによって記録された音声ファイルかどうかを識別する（ステップＳ５２）。デジタルカメラによって記録された音声ファイルの場合には音声ファイルを再生し、その再生した音声にＢＧＭをミキシングする（ステップＳ５４）。一方、デジタルカメラによって記録された音声ファイルでない場合には、ＢＧＭのボリュームをゼロにし（ステップＳ５６）、音声ファイルを再生する（ステップＳ５８）。そして、音声ファイルの再生が終了すると、ＢＧＭのボリュームを元に戻す（ステップＳ６０）。即ち、デジタルカメラ以外の機器で記録された音声ファイルの再生時には、その再生期間中のＢＧＭは消音される。
【００４６】
図５に戻って、上記のようにしてファイルリスト内の全てのファイルの再生が終了すると（ステップＳ２６）、ＢＧＭの再生も終了させてスライドショー再生を終了させる（ステップＳ２８）。
【００４７】
また、パソコン１は、上記スライドショー再生された画像データ及び音声データをＤＶＤ−Ｒ／ＲＷ装置１６によりＤＶＤ−ＲやＣＤ−Ｒに記録することができ、ＤＶＤ−Ｒ等に記録された画像データ及び音声データは、通常のＤＶＤプレーヤ等で再生することができる。
【００４８】
尚、この実施の形態では、パソコンを例に説明したが、スライドショー再生時のＢＧＭ制御機能を備えた専用の画像再生装置でもよい。また、この実施の形態では、音声ファイルがデジタルカメラによって記録されたものか否かを音声ファイルのヘッダー情報中にカメラ機種名が含まれているか否かによって識別するようにしたが、これに限らず、例えば音声ファイルのヘッダー情報中に著作権情報が含まれているか否かによっても識別することができる。デジタルカメラによって記録される音声ファイルのヘッダー情報中には、通常、著作権情報はないが、楽曲等が記録されている音声ファイルのヘッダー情報中には、著作権情報があるからである。
【図面の簡単な説明】
【００４９】
【図１】本発明に係る画像再生装置としての機能を備えたパソコンのハードウェア構成例を示すブロック図
【図２】スライドショー再生される再生対象ファイルとそのファイル名の一例を示す図表
【図３】音声ファイルのファイル構造の一例を示す図
【図４】サウンド・カードの要部ブロック図
【図５】スライドショー再生時の全体の処理を示すフローチャート
【図６】スライドショー再生時に音声付き動画ファイルを再生する場合の処理を示すフローチャート
【図７】スライドショー再生時に音声ファイルを再生する場合の処理を示すフローチャート
【図８】スライドショー再生時に順次再生される画像及び音声を示すタイミングチャート
【符号の説明】
【００５０】
１…パソコン、２…デジタルカメラ、１０…中央処理装置（ＣＰＵ）、１２…主メモリ、１４…ハードディスク装置、１６…ＤＶＤ−Ｒ／ＲＷ装置、２０…モニタ装置、２２…サウンド・カード、２２Ａ…ミキシング回路、２２Ｂ…スイッチ、２４…スピーカ、３２…インターフェース
【図１】
2005051706.tif 000003
【図２】
2005051706.tif 000004
【図３】
2005051706.tif 000005
【図４】
2005051706.tif 000006
【図５】
2005051706.tif 000007
【図６】
2005051706.tif 000008
【図７】
2005051706.tif 000009
【図８】
2005051706.tif 000010